(57)【要約】【課題】使いやすいＥＣＧシステムおよび対応する方法を提供する。【解決手段】本発明は、ＥＣＧ装置（２）および複数の電極（Ｖ１〜Ｖ６、ＬＡ、ＲＡ、ＲＬ、ＬＬ）を含むＥＣＧシステムに関する。前記電極はそれぞれ、光源を備える。前記電極および前記光源は双方とも、前記ＥＣＧ装置（２）に電気的に接続される。前記ＥＣＧ装置（２）は、ランニングライトモードを含む。さらに、本発明は、対応する方法に関する。【選択図】図１
2010075701.tif 000002
【特許請求の範囲】
【請求項１】
ＥＣＧシステムであって、
ＥＣＧ装置（２）と、
複数の電極（Ｖ１〜Ｖ６、ＬＡ、ＲＡ、ＲＬ、ＬＬ）であって、前記電極はそれぞれ光源を持ち、前記電極および前記光源はどちらとも前記ＥＣＧ装置（２）に電気的に接続される、電極とを含み、
前記ＥＣＧ装置（２）はランニングライトモードを含むことを特徴とするＥＣＧシステム。
【請求項２】
前記ＥＣＧ装置（２）は、前記ランニングライトモードにおいて前記光源を規定された順序でスイッチオンするように意図かつ適合されることを特徴とする、請求項１に記載のＥＣＧシステム。
【請求項３】
前記ＥＣＧ装置（２）は、前記ランニングライトモードにおいて前記光源を規定された順序でスイッチオフするように意図かつ適合されることを特徴とする、前記請求項の１つに記載のＥＣＧシステム。
【請求項４】
前記ＥＣＧ装置（２）は、前記ＥＣＧ装置（２）がスイッチオンされた後で自動的に前記ランニングライトモードに切り替わるように意図されかつ適合されることを特徴とする、前記請求項の１つに記載のＥＣＧシステム。
【請求項５】
前記ＥＣＧ装置（２）は、前記ＥＣＧ装置（２）によって電極接触品質確認が成功裏に行われた後に、自動的に前記ランニングライトモードに切り替わるように意図されかつ適合されることを特徴とする、請求項１〜３の１つに記載のＥＣＧシステム。
【請求項６】
前記規定された順序は、ｅ字型の配置構成で配置された電極において前記ｅの横梁の左端から前記ｅの弓状部の右下端部へと、すなわち、Ｖ１、Ｖ２、Ｖ３、Ｖ４、Ｖ５、Ｖ６、ＬＡ、ＲＡ、ＲＬおよびＬＬの順序で、順序付けられることを特徴とする、前記請求項の１つに記載のＥＣＧシステム。
【請求項７】
前記ランニングライトモードの１期間はおよそ１０秒間であることを特徴とする、前記請求項の１つに記載のＥＣＧシステム。
【請求項８】
前記規定された順序における状態変化は、およそ１秒後に発生することを特徴とする、前記請求項の１つに記載のＥＣＧシステム。
【発明の詳細な説明】
【技術分野】
【０００１】
本発明は、生体電位を検出する診断装置の分野に関する。詳細には、本発明は、ＥＣＧシステムおよび対応する方法に関する。
【０００２】
詳細には、本発明は、特許請求項１のプリアンブルに記載のＥＣＧシステムの分野と、特許請求項８のプリアンブルに記載の方法とに関する。
【背景技術】
【０００３】
医学において、患者の身体のパラメータを決定するための多様な測定技術が公知である。本出願の場合、特に、心電図（ＥＣＧ）を得るためのヒト身体上部からの電位のピッキングオフが関連する。
【０００４】
ＥＣＧを得るために、心臓の脱分極および再分極時に発生する生体電位差または電位差が記録される。電位の測定は、身体表面上の電極により、バイポーラまたはユニポーラで行われ得る。
【０００５】
ＥＣＧを取得するための装置は、診断装置という一般名称に該当する。しかし、例えば除細動器も、同様にＥＣＧを測定する。そのため、本出願の目的のため、生体電位を測定する（すなわち、診断ユニットも含む）治療用装置を、診断装置という一般用語に等しく含めるものとする。
【０００６】
ＥＣＧ装置に関する１つの問題として、電極および／または電極ケーブルに用いられる色分けおよび用語が国際的に標準化されているのにもかかわらず、電極に混同が生じている（Ａ．Ｒｕｄｉｇｅｒ，Ｌ．Ｓｃｈｏｂ：ＥＣＧ  ｏｆ  ａ  ｙｏｕｎｇ  ｐａｔｉｅｎｔ  ｗｉｔｈ  ｉｎｆｌｕｅｎｚａｌ  ｃｏｍｐｌａｉｎｔｓ，ｗｈｏ  ｉｓ  ｓｕｓｐｅｃｔｅｄ  ｏｆ  ｈａｖｉｎｇ  ｉｓｃｈａｅｍｉａ，Ｓｗｉｔｚｅｒｌａｎｄ  Ｍｅｄ  Ｆｏｒｕｍ  Ｎｏ．２８，１１．７．２００１，７４１ページなどと比較）。少なくとも簡単な例において、現在の信号評価方法は、電極が混同された場合、電位曲線を時間と共に検出することができる（Ｋｏｒｓ  Ｊ．Ａ．，ｖａｎ  Ｈｅｒｐｅｎ  Ｇ．：Ａｃｃｕｒａｔｅ  ａｕｔｏｍａｔｉｃ  ｄｅｔｅｃｔｉｏｎ  ｏｆ  ｅｌｅｃｔｒｏｄｅ  ｉｎｔｅｒｃｈａｎｇｅ  ｉｎ  ｔｈｅ  ｅｌｅｃｔｒｏｃａｒｄｉｏｇｒａｍ，Ａｍ  Ｊ．Ｃａｒｄｉｏｌ，１５．８．２００１；８８（４）：３９６〜９）。
【０００７】
電位曲線が異常に変化したりノイズを含む場合、これらの方法はすぐにその限界に達する。特に胸部誘導（ｃｈｅｓｔ  ｌｅａｄｓ  Ｖ１〜Ｖ６）が行われている場合、これらの電極間の物理的距離が極めて狭く、混同された電極を安全に検出するのが極めて困難となる。
【０００８】
ＵＳ  ５，０４２，４９８号およびその他の特許ファミリーメンバーＥＰ  ０  ４５０  ３５０  Ａ１、ＤＥ  ６９１１９１３３  Ｔ２および特開平４−２２７２２９において、インテリジェントＥＣＧシステムについての開示がある。用いられる電極は、ポスト付きパッドと、ポストをクランプするスナップコネクタとを含み、前記スナップコネクタの上部中央部にアンカー固定されたＬＥＤを含む。３本のワイヤを有するリードにより、前記スナップコネクタが前記ＥＣＧ装置へと接続される。１本のワイヤが、前記スナップコネクタそのものと接触する。残り２本のワイヤは、前記ＬＥＤに接触する。前記ＥＣＧ装置内の検出回路は、前記リード内のワイヤを介して定電流を前記ポストに供給する。前記ポストと前記患者身体との間の電圧低下が大きすぎる場合、接触不良が発生し、前記ＬＥＤがスイッチオンされる。前記ＬＥＤを前記ＥＣＧ装置内の接地接続部に接続させるワイヤが、前記ＥＣＧ信号を提供するワイヤ用のシールディングとして用い得る。
【０００９】
ＤＥ  １００  ２９  ２０５  Ａ１において、生理的パラメータ測定のための装置についての開示がある。ＥＣＧ測定電極は、ベルトシステム内に移動可能に配置される。前記ベルトシステムは、電子測定システム、デジタル化された測定信号の無線送信のためのデバイス、電力供給ユニット、アンテナをさらに含む。これらの電極は、移動可能に配置され、ＬＥＤ表示を含む。受信ステーションは、プログラムにより、個々の電極が接続されていなかったり誤って配置されている可能性を検出し、その結果は、例えば各電極上の赤色ＬＥＤ表示により信号化される。
【発明の開示】
【発明が解決しようとする課題】
【００１０】
本発明の目的は、使いやすいＥＣＧシステムおよび対応する方法を提供することである。
【課題を解決する手段】
【００１１】
この方法は、独立請求項の教示内容によって達成される。
【００１２】
本発明の好適な実施形態は、従属請求項中に規定される。前記ＥＣＧ電極上のランニングライト（ｒｕｎｎｉｎｇ  ｌｉｇｈｔ）は、ＥＣＧ装置内においてランニングライトが容易に実施されるという利点を有する。「評価」はユーザによってより高くまたはより低く行われるため、複雑なアルゴリズムは不要である。記録されたＥＣＧ信号の種類および品質は、前記評価の精度に何の影響も与えない。
【００１３】
前記評価は、画像記録装置（例えば、簡単なデジタルカメラまたはウェブカム）と評価ソフトウェアによって行ってもよい。
【００１４】
本発明の好適な実施形態について、添付図面を参照して、以下により詳細に説明する。
【図面の簡単な説明】
【００１５】
【図１】図１は、本発明によるＥＣＧ装置によりＥＣＧを記録するための電極の典型的配置構成を示す。図１は、患者１の身体の上部上の電極の典型的配置構成を示す。これらの電極は、ＥＣＧ装置２に接続される。より良い概略を示すために、身体上部の外郭だけではなく、脊椎、胸部および胸骨の部分も図示されている。生体電位をピッキングオフ（ｐｉｃｋｉｎｇ  ｏｆｆ）するために、１０個の電極（すなわち、ＵＳ正式名称に従ったＶ１、Ｖ２、Ｖ３、Ｖ４、Ｖ５、Ｖ６、ＬＡ、ＲＡ、ＲＬおよびＬＬ）が用いられる。各電極には、光源（すなわち、ＬＥＤ）が設けられる。光源がスイッチオフされている電極を黒丸で示し、電極Ｖ６を黒四角で示す。光源がスイッチオンされている電極（すなわち、ＬＡおよびＲＡ）を黒色輪によって示す。本文書において、ＥＣＧ装置２および１０個の電極をＥＣＧシステムと呼ぶ。ＥＣＧ装置２は表示手段３を含み得る。表示手段３は、画面、プリンターおよび／またはプロッターであり得る。
【発明を実施するための形態】
【００１６】
本発明は、電極を患者１に固定した後、前記電極が適切に配置されているのをユーザが迅速かつ快適に確認することを支援する。読み手は、ユーザが疲労している場合にエラーが発生し易い状況（例えば、夜間の事故）においてＥＣＧを測定する必要がある場合があることを理解する。前記ユーザが、配置後の電極が混同されているかもしれない可能性についてできるだけ早く気付くことが重要である。この目的のため、いわゆるランニングライトモード（ｒｕｎｎｉｎｇ  ｌｉｇｈｔ  ｍｏｄｅ）を設けて、ランニングライトのように電極をスイッチオンまたはスイッチオフする。すなわち、電極に割り当てられている光源を所定の順序でスイッチオンし、この順序で再度スイッチオフし、これにより、異なる数の光源を同時に点灯させることができる。
【００１７】
後続光源の直前の光源がスイッチオフされた時に前記後続光源がスイッチオンされ、最終光源の後に第１光源が続く場合、単一の光源が常にスイッチオンされる。
【００１８】
（ｘ−２）番目の光源がスイッチオフされた時に前記順序におけるｘ番目の光源がスイッチオンされた場合、２つの光源が同時に点灯する。この実施形態を図１に示す。図中、２個の電極ＬＡおよびＲＡに割り当てられている光源が点灯している。
【００１９】
別の実施形態において、２つの光源間のオーバーラップはより小さい（例えば、５％〜４０％（特に、ｘ番目の光源のスイッチオンと（ｘ＋１）番目の光源のスイッチオンとの間の時間の２０％）である）。これは、僅かなオーバーラップと呼ぶことができる。ｘ番目の光源および（ｘ＋１）番目の光源は、隣接する光源と呼ばれ得る。
【００２０】
極端な場合、第１の光源が再度スイッチオフされる前に全光源がスイッチオンされ、全光源が点灯する場合がある。また、前記光源が連続的にスイッチオンされ同時にスイッチオフされ、あるいは、同時にスイッチオンされ連続的にスイッチオフされる場合がある。
【００２１】
前記ランニングライトモードは、状態の順序として説明することができ、ここで、各状態において、ゼロの、１つの、複数のまたは全ての光源がスイッチオンされ得る。次に、光源の各スイッチオンおよびスイッチオフは状態変化となる。
【００２２】
およそ０．５〜２秒の間隔（例えば、１秒）で光源をスイッチオンし、光源をスイッチオフするのもこの時間間隔で行うと好都合である。そのため、１０個の電極および光源があり、最終光源と第１の光源との間の間隔がない場合、５〜２０秒（例えば、１０秒）が得られ、これは、周波数０．２〜０．０５Ｈｚ（例えば、０．１Ｈｚ）に対応する。特に、多くまたは全ての光源が同時点灯する実施形態において、最終光源と第１の光源との間に休止を設ける（すなわち、スイッチング順序の前に、光源オンオフを繰り返す）べきである。
【００２３】
これらのキーにより、ユーザは、隣接光源をスイッチオンする間隔を例えば０．３〜３秒の範囲で調節することができる。また、前記オーバーラップも、隣接光源のスイッチング間０〜９００％の間隔のキーにより、調節することができる。オーバーラップが０％の時、これは、ｘ番目の光源がスイッチオフされた時に（ｘ＋１）番目の光源がスイッチオンされることを意味する。当業者であれば、前記ＥＣＧ装置は制御されたマイクロプロセッサであり、前記マイクロプロセッサは前記光源のスイッチオンおよびオフを制御するのに適した手段であることを理解する。前記ＥＣＧ装置内のマイクロプロセッサまたはメモリは、前記間隔および前記オーバーラップに関する異なる設定を保存し得る。
【００２４】
図１から分かるように、前記電極は、概してラテン文字「ｅ」を形成する。電極の順序は、前記ｅ横梁の左側から開始し、前記ｅの弓状部の端部における右側底部において終了する。そのため、前記順序はＶ１、Ｖ２、Ｖ３、Ｖ４、Ｖ５、Ｖ６、ＬＡ、ＲＡ、ＲＬおよびＬＬとなり、これを図１中の矢印によって示す。
【００２５】
ＥＣＧ装置２が例えばスターターボタン５によってスイッチオンされると、ＥＣＧ装置２は自動的に前記ランニングライトモードに切り換わる。その後、ユーザは、前記電極の混同の回避が前記ランニングライトによって支援されている状態で、前記１０個の電極またはその一部を患者１に固定することができる。次に、前記ユーザは、停止ボタン６を押すことにより、前記ランニングライトモードを終了することができる。試験キー４により、前記ランニングライトモードを再度有効にさせることができる。
【００２６】
別の実施形態において、前記電極が患者１に固定され、ＥＣＧ装置２によって電極接触品質チェックが成功裏に行われた後、ＥＣＧ装置２は自動的に前記ランニングライトモードに切り替わる。ＥＣＧ装置２がスイッチオンになった後、ＥＣＧ装置２は、全てまたは規定されたサブセットの電極が十分な接触品質で患者１に固定されるまで、電極一定品質を確認し始める。この時間中、前記ＬＥＤは、接触不良電極を表示し得る。前記ランニングライトモードへの切り替えの後、ユーザは、前記電極の適切な順序を迅速かつ信頼性を以て確認することができる。
【００２７】
当該分野において公知の電極接触品質確認を行う方法は多くある（例えば、ＵＳ５，０４２，４９８号を参照）。さらなる実施形態において、前記ユーザは、ＥＣＧ装置２を前記ランニングライトモードに直接切り替えるかあるいは前記電極接触品質確認を最初に行った後にＥＣＧ装置２スイッチオンするかについて、選択することができる。ユーザは、前記電極接触品質確認が失敗した場合にキャンセルし、前記ランニングライトモードに切り替えることもできる。
【００２８】
上記の好適な実施形態により、本発明についてより詳細に説明した。しかし、当業者であれば、本発明の範囲から逸脱することなしに多様な改変および変更が可能であることを理解する。従って、保護の範囲は、添付の請求項およびその均等物により規定される。
【符号の説明】
【００２９】
１  患者
２  ＥＣＧ装置
３  表示手段
４、５および６  キー
Ｖ１、Ｖ２、Ｖ３、Ｖ４、Ｖ５、Ｖ６、ＬＡ、ＲＡ、ＲＬおよびＬＬ       電極
【図１】
2010075701.tif 000003
【外国語明細書】
ECG System
Technical field
[0001]The invention relates to the field of diagnostic apparatus which detect bioelectric potentials. The invention specifically relates to an ECG system and to a corresponding method. 
[0002]Specifically, the invention relates to the field of ECG systems according to the preamble of patent claim 1 and to a method according to the preamble of patent claim 8. 
Background Art
[0003]In medical science various measuring techniques are known to determine parameters of a patient's body. For the present application, above all the picking off of electric potentials from the upper part of the human body in order to obtain electrocardiograms (ECGs) is relevant. 
[0004]In order to obtain an electrocardiogram (ECG) the bioelectric potentials or potential differences which occur during the depolarization and repolarization of the heart are recorded. The measurement of the potentials may be performed bipolar or unipolar by means of electrodes on the body surface. 
[0005]Apparatus for acquiring ECGs fall under the generic term diagnostic apparatus. However, for example, a defibrillator likewise measures an ECG. Therefore, for the purposes of the present application, therapeutic apparatus which measure bioelectric potentials, that is, which also comprise a diagnostic unit, shall be equally covered by the generic term diagnostic apparatus. 
[0006]A problem with an ECG apparatus is that, despite the internationally standardized color coding and terms used for the electrodes and/or the electrode cables, the electrodes are confused (compare A. Rudiger, L. Schob: ECG of a young patient with influenzal complaints, who is suspected of having ischaemia, Switzerland Med Forum No. 28, 11.7.2001, Page 741 et seq.). At least in simple cases, current signal evaluation methods are able to detect in the potential curves over time if electrodes were confused (Kors J. A., van Herpen G.: Accurate automatic detection of electrode interchange in the electrocardiogram, Am J. Cardiol, 15.8.2001; 88(4):396-9).
[0007]If the potential curves are abnormally changed or noisy, these methods quickly reach their limits. Especially when chest leads (V1-V6) are made, the physical distance between the electrodes is so small that a safe detection of confused electrodes is very difficult. 
[0008]US 5,042,498 as well as the other patent family members EP 0 450 350 A1, DE 69119133 T2 and JP 4227229 A disclose an intelligent ECG system. The electrodes used comprise a pad with a post and a snap connector which clamps the post and includes an LED anchored in the top central portion of the snap connector. A lead with three wires connects the snap connector to the ECG apparatus. One wire contacts the snap connector itself. The other two wires contact the LED. A detector circuit in the ECG apparatus supplies via a wire in the lead a constant current to the post. If the voltage drop between the post and the body of a patient is too great, a poor contact is assumed and the LED is switched on. The wire that connects the LED to a ground connection in the ECG apparatus may be used as a shielding for the wire providing the ECG signal. 
[0009]DE 100 29 205 A1 discloses an apparatus for measuring physiological parameters. ECG measuring electrodes are movably positioned in a belt system. The belt system further comprises an electronic measurement system, a device for the wireless transmission of the digitalized measured signals, a power supply unit and an antenna. The electrodes are arranged movably and include an LED display. The receiving station detects by means of a program whether the individual electrodes are possibly not connected or wrongly positioned, which is signalized, for example, by a red LED display on the respective electrode.
Disclosure of Invention
[0010]It is the object of the invention to provide a user-friendly ECG system and a corresponding method. 
[0011]This method is achieved with the teaching of the independent claims. 
[0012]Preferred embodiments of the invention are defined in the dependent claims. A running light on the ECG electrodes has the advantage that the running light is easy to implement in an ECG apparatus. The "evaluation" is more or less made by the user, so that no complicated algorithms are necessary. The type and quality of the recorded ECG signals has no influence on the accuracy of the evaluation. 
[0013]The evaluation may also be made by an image recorder (e.g. simple digital camera or web cam) and an evaluation software. 
BRIEF DESCRIPTION OF THE DRAWING
[0014]A preferred embodiment of the invention will be explained in more detail below, with reference to the accompanying drawing. In the drawing: 
[0015]Fig. 1 shows a typical arrangement of electrodes for recording an ECG by means of an ECG apparatus according to the invention.
Fig. 1 shows the typical arrangement of electrodes on the upper part of the body of a patient 1, which are connected to an ECG apparatus 2. To provide a better overview, not only the contours of the upper part of the body are drawn in, but also a part of the spine, the thorax and the sternum. Ten electrodes are used for picking off the bioelectric potentials, namely, V1, V2, V3, V4, V5, V6, LA, RA, RL and LL according to the US standard nomenclature. Each electrode is provided with a light source, specifically an LED. Electrodes whose light source is switched off are represented by black circles, or a black quadrangle in the case of electrode V6. The electrodes whose light source is switched on, i.e. LA and RA, are represented by black rings. In this document the ECG apparatus 2 together with the ten electrodes will be designated as an ECG system. The ECG apparatus 2 may comprise a display means 3, which may be a screen, a printer and/or a plotter. 
DETAILED DESCRIPTION OF THE PREFERRED EMBODIMENTS
[0016]This invention helps a user to check proper placement of the electrodes quickly and comfortably after having fixed the electrodes on the patient 1. The reader will appreciate that it is sometimes necessary to measure ECGs in error-prone situations, e. g. in accidents at nighttime, when the user is tired. It is important that the user notices a possible confusion of the electrodes as quickly as possible after placement. To this end a so-called running light mode is provided in which the electrodes are switched on and off again like a running light. This means that the light sources assigned to the electrodes are switched on in a predetermined sequence and are switched off again in this sequence, whereby a different number of light sources can light up simultaneously. 
[0017]If a succeeding light source is switched on as the light source directly preceding the succeeding light source is switched off, and the last light source is followed by the first light source, always one single light source is switched on.
[0018]If the xth light source in the sequence is switched on as the (x-2)th light source is switched off, two light sources light up simultaneously. This embodiment is illustrated in Fig. 1, in which the light sources assigned to the two electrodes LA and RA light up. 
[0019]In another embodiment the overlap between two light sources may be smaller, e. g. 5% to 40 %, in particular 20 % of the time between switching on the x-th and the (x+1)th light source. This may be referred to as a slight overlap. The x-th and the (x+1)th light source may be designated neighboring light sources.
[0020]In the extreme case all light sources may be switched on before the first light source is switched off again, so that there is a time when all light sources light up. Also, the light sources may be switched on successively and switched off simultaneously, or switched on simultaneously and switched off successively.
[0021]The running light mode may be described as a sequence of states, wherein no, one, several or all light sources may be switched on in each state. Each switching on and off of a light source is then a state change. 
[0022]It should be expedient to switch the light sources on at an interval of approximately 0.5 to 2 seconds, for example one second and to chose this time interval also for switching them off. Thus, with ten electrodes and light sources and without an interval between the last and the first light source, a period of 5 to 20 seconds, for example 10 seconds is obtained, corresponding to a frequency of 0.2 to 0.05 Hz, for example 0.1 Hz. Especially in embodiments in which many or all light sources light up simultaneously, there should be a pause between the last and the first light source, that is, before the sequence of switching the light sources on and off is repeated. 
[0023]The keys may allow a user to adjust the interval between switching on neighboring light sources for example from 0.3 to 3 seconds. Also the overlap may be adjusted by the keys from 0% to 900% of the interval between switching on neighboring light sources. 0% overlap means that the (x+1)-th light source is switched on when the x-th light source is switched off. Skilled persons will appreciate that the ECG apparatus is micro processor controlled and that the micro processor is a suitable means for controlling the switching on and off of the light sources. The micro processor or a memory within the ECG apparatus may store different settings for the interval and the overlap.
[0024]As can be seen in Fig. 1, the electrodes approximately form a Latin letter "e". The sequence starts on the left at the transverse beam of the e and ends on the right-hand bottom at the end of the bow of the e. Thus, the sequence is: V1, V2, V3, V4, V5, V6, LA, RA, RL, LL, which is shown by arrows in Fig. 1. 
[0025]If the ECG apparatus 2 is switched on, for example, by means of the starter button 5 the ECG apparatus 2 can automatically switch into the running light mode. Subsequently, a user can secure the ten electrodes or a part thereof on the patient 1, while the running light helps to avoid a confusion of the electrodes. Next, the user can exit the running light mode by pressing the stop button 6. By means of the test key 4 the running light mode may be activated again. 
[0026]In another embodiment, the ECG apparatus 2 may automatically switch to the running light mode, after the electrodes have been secured on the patient 1 and successful electrode contact quality check was performed by the ECG apparatus 2. After the ECG apparatus 2 has been switched on, it starts to check electrode contact quality, up until all or a predefined subset of electrodes is secured with sufficient contact quality to the patient 1. During this period the LEDs may indicate poor-contact electrodes. After switching to the running light mode, the user can quickly and reliably check the proper sequence of the electrodes. 
[0027]There are many ways known in the art to perform an electrode contact quality check, cf e. g. US 5,042,498. In a further embodiment, the user may select as to whether the ECG apparatus 2 switches directly into the running light mode or does the electrode contact quality check first after it has been switched on. The user may also cancel a unsuccessful contact quality check and switch to the running light mode.
[0028]The invention was explained in more detail by means of preferred embodiments above. A person skilled in the art will appreciate, however, that various alterations and modifications may be made without departing from the spirit of the invention. Therefore, the scope of protection will be defined by the accompanying claims and their equivalents.
List of Reference Numbers
[0029]
1  patient
2  ECG apparatus
3  display means
4, 5, 6  keys
V1, V2, V3, V4, V5, V6, LA, RA, RL, LL electrodes 
Patent Claims
1. An ECG system, comprising:
an ECG apparatus (2); and 
a plurality of electrodes (V1-V6, LA, RA, RL, LL) each being provided with a light source, wherein both the electrodes and the light sources are electrically connected to the ECG apparatus (2), 
characterized in that 
the ECG apparatus (2) comprises a running light mode. 
2. The ECG system according to claim 1, characterized in that the ECG apparatus (2) is intended and suited to switch on the light sources in a defined sequence in the running light mode. 
3. The ECG system according to one of the preceding claims, characterized in that the ECG apparatus (2) is intended and suited to switch off the light sources in the defined sequence in the running light mode. 
4. The ECG system according to one of the preceding claims, characterized in that the ECG apparatus (2) is intended and suited to automatically switch into the running light mode after switching the ECG apparatus (2) on. 
5. The ECG system according to one of claims 1 to 3, characterized in that the ECG apparatus (2) automatically switches into the running light mode after successful electrode contact quality check was performed by the ECG apparatus (2).
6. The ECG system according to one of the preceding claims, characterized in that the defined sequence consists in passing through the e-shaped arrangement of the electrodes from the left end of the transverse beam of the e to the right lower end of the bow of the e, that is, in the sequence V1, V2, V3, V4, V5, V6, LA, RA, RL, LL. 
7. The ECG system according to one of the preceding claims, characterized in that one period of the running light mode lasts approximately 10 seconds. 
8. The ECG system according to one of the preceding claims, characterized in that a state change in the defined sequence takes place after approximately one second.  
Abstract
The present invention relates to an ECG system, comprising an ECG apparatus (2) and a plurality of electrodes (V1-V6, LA, RA, RL, LL). Each of the electrodes is provided with a light source. Both the electrodes and the light sources are electrically connected to the ECG apparatus (2). The ECG apparatus (2) comprises a running light mode. Moreover, the present invention relates to a corresponding method. 
2010075701.tif 000004